(57)【要約】 【課題】脚部の形状や太さに左右されることなく確実に装着できる使い勝手の良い家具用脚カバーを提供する。【解決手段】超軟質樹脂より成り、家具の脚の端部に嵌着する有底筒状の外挿部１と、当該外挿部１の底部１ｃに設けた硬質樹脂製の摺動底部２とで構成されている。外挿部１を形成する超軟質樹脂としてシリコーン系樹脂を用いると良い。【選択図】図１
2007268244.tif 000002
【特許請求の範囲】
【請求項１】
超軟質樹脂より成り、家具の脚の端部に嵌着する有底筒状の外挿部と、当該外挿部の底部に設けた硬質樹脂製の摺動底部とで構成したことを特徴とする家具用脚カバー。
【請求項２】
前記外挿部を形成する超軟質樹脂がシリコーン系樹脂であることを特徴とする請求項１に記載の家具用脚カバー。
【請求項３】
前記摺動底部を形成する硬質樹脂がポリアミドであることを特徴とする請求項１または請求項２の何れかに記載の家具用脚カバー。
【請求項４】
前記外挿部の肉厚を底部から開口上端部に向けて徐々に肉薄としたことを特徴とする請求項１から請求項３までの何れかに記載の家具用脚カバー。
【請求項５】
前記摺動底部の中央部位に厚さ方向に貫通する孔を設けたことを特徴とする請求項１から請求項４までの何れかに記載の家具用脚カバー。
【請求項６】
硬質樹脂で成る前記摺動底部の設置下面に、硬質樹脂材より表面硬度の低い合成樹脂で成る接地部を設けたことを特徴とする請求項１から請求項４までの何れかに記載の家具用脚カバー。
【請求項７】
前記接地部が摩擦係数の小さい合成樹脂材で成ることを特徴とする請求項６に記載の家具用脚カバー。
【請求項８】
前記接地部を形成する合成樹脂が高密度ポリエチレンまたはフッ素樹脂であることを特徴とする請求項６または請求項７の何れかに記載の家具用脚カバー。
【発明の詳細な説明】
【技術分野】
【０００１】
本発明は、椅子やテーブル等、脚付き家具の脚端に嵌着して使用する脚カバーに関し、特に、形状や太さが異なる脚にも簡単、且つ、確実に嵌着できる家具用脚カバーに関するものである。
【背景技術】
【０００２】
従来より、椅子やテーブル等の脚端に被せて使用する有底筒状の脚カバーが知られている（例えば、特許文献１参照）。このような脚カバーは、一般的には合成樹脂等にて成形される伸縮性に乏しいものであることから、通常、脚カバーを取り付ける脚の形状（角形、丸形）や太さに応じた多種のアイテムが品揃えされており、使用者は、予め脚の形状や太さを計っておいて、それに見合った好適サイズを購入する必要があって些か面倒であった。また、脚カバーのサイズが少々相違していたり、長期使用で劣化したりすると、脚カバーの装着にガタが生じ、家具を移動した時に脚カバーが不用意に脱落するという問題があった。
【特許文献１】実開昭５８−１６４５４７号公報
【発明の開示】
【発明が解決しようとする課題】
【０００３】
本発明は、上記問題に鑑み成されたもので、脚部の形状や太さに左右されることなく確実に装着できる使い勝手の良い家具用脚カバーを提供することを目的としている。
【課題を解決するための手段】
【０００４】
すなわち、請求項１に記載の発明は、超軟質樹脂より成り、家具の脚の端部に嵌着する有底筒状の外挿部と、当該外挿部の底部に設けた硬質樹脂製の摺動底部とで構成したことを特徴としている。
【０００５】
また、請求項２に記載の発明は、請求項１に記載の家具用脚カバーにおいて、前記外挿部を形成する超軟質樹脂がシリコーン系樹脂であることを特徴としている。
【０００６】
また、請求項３に記載の発明は、請求項１または請求項２の何れかに記載の家具用脚カバーにおいて、前記摺動底部を形成する硬質樹脂がポリアミドであることを特徴としている。
【０００７】
また、請求項４に記載の発明は、請求項１から請求項３までの何れかに記載の家具用脚カバーにおいて、前記外挿部の肉厚を底部から開口上端部に向けて徐々に肉薄としたことを特徴としている。
【０００８】
また、請求項５に記載の発明は、請求項１から請求項４までの何れかに記載の家具用脚カバーにおいて、前記摺動底部の中央部位に厚さ方向に貫通する孔を設けたことを特徴としている。
【０００９】
また、請求項６に記載の発明は、請求項１から請求項４までの何れかに記載の家具用脚カバーにおいて、硬質樹脂で成る前記摺動底部の設置下面に、硬質樹脂材より表面硬度の低い合成樹脂で成る接地部を設けたことを特徴としている。
【００１０】
また、請求項７に記載の発明は、請求項６に記載の家具用脚カバーにおいて、前記接地部が摩擦係数の小さい合成樹脂材で成ることを特徴としている。
【００１１】
また、請求項８に記載の発明は、請求項６または請求項７の何れかに記載の家具用脚カバーにおいて、前記接地部を形成する構成樹脂が高密度ポリエチレンまたはフッ素樹脂であることを特徴としている。
【発明の効果】
【００１２】
請求項１〜３に記載の発明によれば、脚の端部に嵌着する外挿部を超軟質樹脂（シリコーン系樹脂）で形成したので、脚カバーのサイズが脚の形状や太さに少々マッチしていなくとも、その優れた伸縮性によりガタ付き無く確実に嵌着させることができる。
加えて、床面に直接接触する摺動底部を硬質樹脂（ポリアミド）で形成したので、その優れた耐摩耗性と摺動性により、家具の移動がスムーズに行えると共に、摩耗も少なくできる。
【００１３】
また、請求項４に記載の発明によれば、外挿部の肉厚を底部から開口上端部に向け徐々にて薄肉としたので、脚カバー装着は、脚カバーの開口を広げることで嵌着し易くできると共に、脚との密着性も良くなる。
【００１４】
また、請求項５に記載の発明によれば、摺動底部に孔を設けたので、脚カバー装着の際に筒内の空気がこの孔より排出されて、装着が容易になると共に、外挿部が脚に密着し易くなるため、脚カバーが脱落し難くなる。
【００１５】
また、請求項６〜８に記載の発明によれば、接地部の材料に軟質の合成樹脂材を用いることにより、接地部が床面に接触した時に床面を傷つけ難くでき、且つ、摩擦係数の小さい合成樹脂材を用いることにより、家具の移動はスムーズに行える。
【発明を実施するための最良の形態】
【００１６】
以下、図１〜図３に基づいて本発明の第１実施形態に係る家具用脚カバーの実施形態を説明する。図１、２は本実施形態による家具用脚カバーの構造を示し、図３は本実施形態による家具用脚カバーの使用態様を示している。
【００１７】
図１に示すように、本実施形態の家具用脚カバー１０は、超軟質性樹脂より成る有底円筒状の外挿部１と、この外挿部１の底部１ｃに一体的に設けた硬質樹脂により成る摺動底部２とで構成される。
【００１８】
上記外挿部１は、超軟質性樹脂として、伸縮性に富む、例えば、シリコーンゴムを用いて構成されており、その内壁１ａは、平坦な底部１ｃの周縁よりほぼ垂直に起立していると共に、外周部１ｂがやや末広状に形成されることにより、外挿部１の肉厚が下端の底部１ｃから開口上端部に向けて徐々に肉薄となるように成されている。
【００１９】
他方、上記摺動底部２は、硬質樹脂として、摩擦係数が低く、且つ、耐摩耗性に優れる、例えば、ポリアミドを用いて構成される円板状部材であって、その中央部位に厚さ方向に貫通する空気孔３が形成されていると共に、その設置下面２ａは断面凸状と成されている。
【００２０】
尚、本実施形態の脚カバー１０においては、例えば、金型成形された摺動底部２を外挿部１の成形用金型内にインサートして外挿部１を成形することにより、摺動底部２と外挿部１の接触面が溶融・一体化されるものである。
【００２１】
上記構成の家具用脚カバー１０を使用するには、図３に示すように、椅子４の各脚５の端部に外挿部１を挿入することにより、脚カバー１０が脚５に装着される。
【００２２】
この時、脚カバー１０の外挿部１は超軟質樹脂（シリコーンゴム）で形成されているので、外挿部１のサイズが脚５の形状や太さに少々マッチしていなくとも、その優れた伸縮性により、ガタ付き無く確実に嵌着させることができる。
加えて、外挿部１は底部１ｃから開口上端部に向けて薄肉に形成されているため、脚カバー１０の開口を広げることで嵌着し易くできると共に、嵌着後の脚５との密着性も良くなる。
【００２３】
他方、床面に直接接触する摺動底部２は硬質樹脂（ポリアミド）で形成されているので、その自己潤滑性により摺動性が向上しており、家具の移動もスムーズに行えると共に、脚カバー１０の摩耗も少なく、長期間の使用に耐え得るものである。
加えて、摺動底部２の設置下面２ａが断面凸状であるので、床面等に対する接触面積が小さくなり、椅子４の移動もスムーズに行える。
また、摺動底部２に空気孔３が形成されているので、筒内の空気がこの空気孔３より排出され、脚カバー１０の装着が容易となると共に、外挿部１が脚５に密着し易くなるため、嵌着後の脚カバー１０は脱落し難くなる。
【００２４】
このように、本発明の家具用脚カバー１０は、少々サイズがマッチしていなくても、外挿部１の優れた伸縮性により、脚５の形状や太さに左右されることなく、容易に、且つ、脱落したりガタを生じることが無く確実に装着できるものである。
よって、従来のように、サイズの異なる多種多様なアイテムを品揃えすることなく、必要最小限の品揃えにて、様々な脚付き家具に幅広く適用して使用することができる。
【００２５】
以上、本発明の第１実施形態では、円筒状の脚カバー１０について説明したが、図２に示すような角筒状の脚カバー１０を用いることもできる。脚５の形状が極端な長方形や楕円形である場合、この角筒状の脚カバー１０を用いることにより、上述した円筒状の脚カバー１０に比べ、フィット性はより向上するものである。
【００２６】
次に、図４、図５に基づき、本発明に係る家具用脚カバーの第２実施形態を説明する。
【００２７】
図４、図５に示すように、本実施形態の家具用脚カバー２０は、超軟質性樹脂より成る有底円筒状の外挿部２１と、この外挿部２１の底部２１ｃに一体的に設けた硬質樹脂（ポリアミド）により成る摺動底部２２とで構成され、且つ、この摺動底部２２が床面と接触する設置下面２２ａに、円板状の接地部２３が設けられている。
【００２８】
外挿部２１は、図１と同様であり、超軟質性樹脂として、伸縮性に富む、例えば、シリコーンゴムを用いて構成されており、その内壁２１ａは、平坦な底部２１ｃの周縁よりほぼ垂直に起立していると共に、外周部２１ｂがやや末広状に形成されることにより、外挿部２１の肉厚が下端の底部２１ｃから開口上端部に向けて徐々に肉薄となるように成されている。
【００２９】
他方、上記摺動底部２２に設けた接地部２３は、摺動底部２２の材料であるポリアミドより表面硬度の低い合成樹脂材、例えば、高密度ポリエチレンで形成され、設置下面２２ａに設けた円形の凹部２２ｂに嵌め込まれて接着材（両面テープ）にて固定されている。この接地部２３は、凹部２２ｂより幾分突出しており、この突出頂面２３ａが床面と接触するようになっている。
因みに、ポリアミドの表面硬度は１００程度、高密度ポリエチレンの表面硬度は６０程度でり、比較的軟質の接地部２３が周囲の硬質樹脂材により補強された状態となっている。
【００３０】
本実施形態の脚カバー２０は、金型成形された摺動底部２２を外挿部２１の成形用金型内にインサートして外挿部２１を成形することにより、先ず、摺動底部２２と外挿部２１を溶融・一体化し、その後、摺動底部２２の凹部２２ｂに接地部２３を取り付ける。これは、高密度ポリエチレンの融点がシリコーンゴムの融点より低く、摺動底部２２のようにインサート成形による接地部の一体化が困難なためである。
【００３１】
上記構成の脚カバー２０では、摺動底部２２の設置下面２２ａに軟質樹脂材である高密度ポリエチレン製の接地部２３を設けたので、接地部２３が床面に接触した時に床面を傷つけ難くでき、且つ、高密度ポリエチレンは摩擦係数が小さく摺動製性に優れるため、家具の移動もスムーズに行える。
加えて、接地部２３は、周囲の硬質樹脂材（摺動底部２２）により補強され、機械的強度は向上しており、脚カバー２０に斜めの加重がかかっても、接地部２３が径方向に変形したり、破損したりする虞はない。
【００３２】
以上、本発明の第２実施形態では、円筒状の脚カバー２０について説明したが、第１実施形態と同様に角筒状とすることも勿論可能である。
また、接地部２３の材料として、上述した高密度ポリエチレンの他、フッ素樹脂等を用いることもできる。
【図面の簡単な説明】
【００３３】
【図１】本発明の第１実施形態による家具用脚カバーを示し、（ａ）は平面図、（ｂ）は縦断面図。
【図２】本発明の第１実施形態による図１とは別の家具用脚カバーを示し、（ａ）は平面図、（ｂ）は縦断面図。
【図３】本発明による家具用脚カバーの使用態様を示す斜視図。
【図４】本発明の第２実施形態による家具用脚カバーを示す縦断面図。
【図５】図４の家具用脚カバーの構成を示す分解斜視図。
【符号の説明】
【００３４】
１  外挿部
１ｃ  底部
２  摺動底部
３  孔（空気孔）
４  家具（椅子）
５  脚
１０、２０  家具用脚カバー
２２  接地部
【図１】
2007268244.tif 000003
【図２】
2007268244.tif 000004
【図３】
2007268244.tif 000005
【図４】
2007268244.tif 000006
【図５】
2007268244.tif 000007